【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
液状体を吐出するタイミングを規定するタイミング信号に基づいて駆動される複数の吐出ノズルが副走査方向に配列するノズル群に対して、前記副走査方向と交差する主走査方向に相対移動させられると共に、前記吐出ノズルから前記液状体を吐出する前記タイミング信号の周期が第一の周期である第一の被吐出領域と、前記吐出ノズルから前記液状体を吐出する前記タイミング信号の周期が前記第一の周期とは異なる第二の周期である第二の被吐出領域と、を備える基材の被吐出領域配置方法であって、
前記ノズル群に、前記第一の被吐出領域と前記第二の被吐出領域の両方が同時に対向することがない位置に、前記第一の被吐出領域及び前記第二の被吐出領域を配置することを特徴とする基材の被吐出領域配置方法。
【請求項２】
前記副走査方向において隣り合う前記第一の被吐出領域と、前記第二の被吐出領域とを、前記ノズル群が有する複数の前記吐出ノズルの中で前記副走査方向における両端に位置する前記吐出ノズルの中心間距離より大きい間隔を隔てて配置することを特徴とする請求項１に記載の基材の被吐出領域配置方法。
【請求項３】
前記副走査方向において隣り合う前記第一の被吐出領域と、前記第二の被吐出領域とを、前記ノズル群が有する複数の前記吐出ノズルであって、前記基材に向けて前記液状体を吐出するために使用される複数の有効ノズルの中で前記副走査方向における両端に位置する前記吐出ノズルの中心間距離より大きい間隔を隔てて配置することを特徴とする請求項１に記載の基材の被吐出領域配置方法。
【請求項４】
前記第一の被吐出領域と、前記第二の被吐出領域とを、前記副走査方向において、互いに隣り合わない位置に配置することを特徴とする請求項１に記載の基材の被吐出領域配置方法。
【請求項５】
液状体を吐出するタイミングを規定するタイミング信号に基づいて駆動される複数の吐出ノズルが副走査方向に配列するノズル群に対して、前記副走査方向と交差する主走査方向に相対移動させると共に、前記吐出ノズルから前記液状体を吐出する前記タイミング信号の周期が第一の周期である第一のパネル領域と、前記吐出ノズルから前記液状体を吐出する前記タイミング信号の周期が前記第一の周期とは異なる第二の周期である第二のパネル領域と、を備えるマザーパネルのパネル領域配置方法であって、
前記ノズル群に、前記第一のパネル領域と前記第二のパネル領域の両方が同時に対向することがない位置に、前記第一のパネル領域及び前記第二のパネル領域を配置することを特徴とするマザーパネルのパネル領域配置方法。
【請求項６】
前記副走査方向において隣り合う前記第一のパネル領域と、前記第二のパネル領域とを、前記ノズル群が有する複数の前記吐出ノズルの中で前記副走査方向における両端に位置する前記吐出ノズルの中心間距離より大きい間隔を隔てて配置することを特徴とする請求項５に記載のマザーパネルのパネル領域配置方法。
【手続補正２】
【補正対象書類名】明細書
【補正対象項目名】発明の名称
【補正方法】変更
【補正の内容】
【発明の名称】基材の被吐出領域配置方法、及びマザーパネルのパネル領域配置方法
【手続補正３】
【補正対象書類名】明細書
【補正対象項目名】０００８
【補正方法】変更
【補正の内容】
【０００８】
本適用例にかかる基材は、それぞれのノズル群が、液状体を吐出するタイミングを規定する同一のタイミング信号に基づいて駆動される複数の吐出ノズルを有し、当該複数の吐出ノズルが副走査方向に配列する複数のノズル群に対して、前記副走査方向と交差する主走査方向に相対移動させられると共に、それぞれの前記吐出ノズルから前記液状体が吐出されることによって前記液状体を配置される基材であって、前記吐出ノズルによって前記液状体を適切に配置可能な、前記タイミング信号の周期が第一の周期である第一の被吐出領域と、前記吐出ノズルによって前記液状体を適切に配置可能な前記タイミング信号の周期が、前記第一の周期とは異なる第二の周期である第二の被吐出領域と、を備え、前記主走査方向の相対移動において、同一の前記ノズル群に、前記第一の被吐出領域の部分と、前記第二の被吐出領域の部分との両方が同時に対向することがない位置に、前記第一の被吐出領域及び前記第二の被吐出領域が配置されていることを特徴とする。
【手続補正４】
【補正対象書類名】明細書
【補正対象項目名】００１０
【補正方法】変更
【補正の内容】
【００１０】
上記適用例にかかる基材において、前記副走査方向において隣り合う前記第一の被吐出領域と、前記第二の被吐出領域とが、前記副走査方向において、前記ノズル群が有する複数の前記吐出ノズルの中で前記副走査方向における両端に位置する前記吐出ノズルの中心間距離より大きい間隔を隔てて配置されていることが好ましい。
【手続補正５】
【補正対象書類名】明細書
【補正対象項目名】００１２
【補正方法】変更
【補正の内容】
【００１２】
上記適用例にかかる基材において、前記副走査方向において隣り合う前記第一の被吐出領域と、前記第二の被吐出領域とが、前記副走査方向において、前記ノズル群が有する複数の前記吐出ノズルであって、前記基材に向けて前記液状体を吐出するために使用される複数の有効ノズルの中で前記副走査方向における両端に位置する前記吐出ノズルの中心間距離より大きい間隔を隔てて配置されていることが好ましい。
【手続補正６】
【補正対象書類名】明細書
【補正対象項目名】００１４
【補正方法】変更
【補正の内容】
【００１４】
上記適用例にかかる基材において、前記複数のノズル群における前記ノズル群の前記副走査方向の長さが一定であって、前記副走査方向において隣り合う前記第一の被吐出領域と、前記第二の被吐出領域とが、前記副走査方向における前記第二の被吐出領域と反対側において前記主走査方向に延在する前記第一の被吐出領域の端から、前記第二の被吐出領域の前記第一の被吐出領域側の端までの距離が、前記ノズル群の前記副走査方向の長さの整数倍の長さであって、前記第一の被吐出領域の前記副走査方向の幅より長い長さの中で最小の長さより離れている位置に配置されていることが好ましい。
【手続補正７】
【補正対象書類名】明細書
【補正対象項目名】００１６
【補正方法】変更
【補正の内容】
【００１６】
上記適用例にかかる基材において、前記第一の被吐出領域と、前記第二の被吐出領域とが、前記副走査方向において、互いに隣り合わない位置に配置されていることが好ましい。
【手続補正８】
【補正対象書類名】明細書
【補正対象項目名】００１８
【補正方法】変更
【補正の内容】
【００１８】
本適用例にかかる基材の被吐出領域配置方法は、液状体を吐出するタイミングを規定するタイミング信号に基づいて駆動される複数の吐出ノズルが副走査方向に配列するノズル群に対して、前記副走査方向と交差する主走査方向に相対移動させられると共に、前記吐出ノズルから前記液状体を吐出する前記タイミング信号の周期が第一の周期である第一の被吐出領域と、前記吐出ノズルから前記液状体を吐出する前記タイミング信号の周期が前記第一の周期とは異なる第二の周期である第二の被吐出領域と、を備える基材の被吐出領域配置方法であって、前記ノズル群に、前記第一の被吐出領域と前記第二の被吐出領域の両方が同時に対向することがない位置に、前記第一の被吐出領域及び前記第二の被吐出領域を配置することを特徴とする。
【手続補正９】
【補正対象書類名】明細書
【補正対象項目名】００２０
【補正方法】変更
【補正の内容】
【００２０】
上記適用例にかかる基材の被吐出領域配置方法において、前記副走査方向において隣り合う前記第一の被吐出領域と、前記第二の被吐出領域とを、前記ノズル群が有する複数の前記吐出ノズルの中で前記副走査方向における両端に位置する前記吐出ノズルの中心間距離より大きい間隔を隔てて配置することが好ましい。
【手続補正１０】
【補正対象書類名】明細書
【補正対象項目名】００２２
【補正方法】変更
【補正の内容】
【００２２】
上記適用例にかかる基材の被吐出領域配置方法において、前記副走査方向において隣り合う前記第一の被吐出領域と、前記第二の被吐出領域とを、前記ノズル群が有する複数の前記吐出ノズルであって、前記基材に向けて前記液状体を吐出するために使用される複数の有効ノズルの中で前記副走査方向における両端に位置する前記吐出ノズルの中心間距離より大きい間隔を隔てて配置することが好ましい。
【手続補正１１】
【補正対象書類名】明細書
【補正対象項目名】００２４
【補正方法】変更
【補正の内容】
【００２４】
上記適用例にかかる基材の被吐出領域配置方法において、前記第一の被吐出領域と、前記第二の被吐出領域とを、前記副走査方向において、互いに隣り合わない位置に配置することが好ましい。
【手続補正１２】
【補正対象書類名】明細書
【補正対象項目名】００２６
【補正方法】変更
【補正の内容】
【００２６】
本適用例にかかるマザーパネルは、それぞれのノズル群が、液状体を吐出するタイミングを規定する同一のタイミング信号に基づいて駆動される複数の吐出ノズルを有し、当該複数の吐出ノズルが副走査方向に配列する複数のノズル群に対して、前記副走査方向と交差する主走査方向に相対移動させられると共に、それぞれの前記吐出ノズルから前記液状体が吐出されることによって、前記液状体を配置されるマザーパネルであって、前記吐出ノズルによって前記液状体を適切に配置可能な、前記タイミング信号の周期が第一の周期である第一のパネル領域と、前記吐出ノズルによって前記液状体を適切に配置可能な前記タイミング信号の周期が、前記第一の周期とは異なる第二の周期である第二のパネル領域と、を備え、同一の前記ノズル群に、前記第一のパネル領域の部分と、前記第二のパネル領域の部分との両方が同時に対向することがない位置に、前記第一のパネル領域及び前記第二のパネル領域が配置されていることを特徴とする。
【手続補正１３】
【補正対象書類名】明細書
【補正対象項目名】００２８
【補正方法】変更
【補正の内容】
【００２８】
上記適用例にかかるマザーパネルにおいて、前記副走査方向において隣り合う前記第一のパネル領域と、前記第二のパネル領域とが、前記副走査方向において、前記ノズル群が有する複数の前記吐出ノズルの中で前記副走査方向における両端に位置する前記吐出ノズルの中心間距離より大きい間隔を隔てて配置されていることが好ましい。
【手続補正１４】
【補正対象書類名】明細書
【補正対象項目名】００３０
【補正方法】変更
【補正の内容】
【００３０】
上記適用例にかかるマザーパネルにおいて、前記副走査方向において隣り合う前記第一のパネル領域と、前記第二のパネル領域とが、前記副走査方向において、前記ノズル群が有する複数の前記吐出ノズルであって、前記マザーパネルに向けて前記液状体を吐出するために使用される複数の有効ノズルの中で前記副走査方向における両端に位置する前記吐出ノズルの中心間距離より大きい間隔を隔てて配置されていることが好ましい。
【手続補正１５】
【補正対象書類名】明細書
【補正対象項目名】００３２
【補正方法】変更
【補正の内容】
【００３２】
本適用例にかかるマザーパネルのパネル領域配置方法は、液状体を吐出するタイミングを規定するタイミング信号に基づいて駆動される複数の吐出ノズルが副走査方向に配列するノズル群に対して、前記副走査方向と交差する主走査方向に相対移動させると共に、前記吐出ノズルから前記液状体を吐出する前記タイミング信号の周期が第一の周期である第一のパネル領域と、前記吐出ノズルから前記液状体を吐出する前記タイミング信号の周期が前記第一の周期とは異なる第二の周期である第二のパネル領域と、を備えるマザーパネルのパネル領域配置方法であって、前記ノズル群に、前記第一のパネル領域と前記第二のパネル領域との両方が同時に対向することがない位置に、前記第一のパネル領域及び前記第二のパネル領域を配置することを特徴とする。
【手続補正１６】
【補正対象書類名】明細書
【補正対象項目名】００３４
【補正方法】変更
【補正の内容】
【００３４】
上記適用例にかかるマザーパネルのパネル領域配置方法において、前記副走査方向において隣り合う前記第一のパネル領域と、前記第二のパネル領域とを、前記ノズル群が有する複数の前記吐出ノズルの中で前記副走査方向における両端に位置する前記吐出ノズルの中心間距離より大きい間隔を隔てて配置することが好ましい。